(57)【要約】【課題】  薬剤容器の交換を容易に行うことができる薬剤容器の固定構造を提供する。【解決手段】  下部構成部１２の薬剤載置部２５に支持部８１で支持された棚部８２を設け、棚部８２に側面当接リブ８４を設ける。カバー１３を、横断面が楕円形状であって上方へ向かうに従って縮径する山形状に形成する。薬剤容器１４の容器本体１２１の第１及び第２側面１２５，１２６をカバーの内側面に沿った湾曲面で構成する。第３及び第４側面１２７，１２８に薬剤載置部２５の側面当接リブ８４が挿入される溝部１２９を形成する。カバー１３を下部構成部材１２に取り付けた状態で、棚部８２に載置された薬剤容器１４の容器本体１２１の第１及び第２側面１２５，１２６の上縁１２５ａ，１２６ａがカバー１３の内側面に線接触するように棚部８２の高さを設定する。【選択図】        図１１
2006158468.tif 000002
【特許請求の範囲】
【請求項１】
内部に液状薬剤を収容した薬剤容器と、該薬剤容器が載置される下部構成部と、該下部構成部に着脱自在に取り付けられ前記薬剤容器を覆うカバーとを備えた構成において、
前記カバーを上方に向かうに従って縮径する山形状に形成し、当該カバーを前記下部構成部に取り付けた状態で、載置した前記薬剤容器の前記容器本体における少なくとも対向した側面の上端が前記カバーの内側面に当接する高さに当該側面の高さを設定したことを特徴とする薬剤容器の固定構造。
【請求項２】
前記カバーの内壁面に当接する前記容器本体の上端部分での平面視形状が、当該上端部分が当接する部位での前記カバーの断面形状と同一形状であることを特徴とした請求項１記載の薬剤容器の固定構造。
【請求項３】
前記カバーは横断面楕円形で、前記容器本体の対向する前記側面は、前記カバーが構成する楕円形の長軸と交差する内側面に対向する面であることを特徴とした請求項１又は２記載の薬剤容器の固定構造。
【請求項４】
前記下部構成部材に、前記薬剤容器の側面に当接して当該薬剤容器の回転を防止するリブを設けたことを特徴とする請求項１、２または３記載の薬剤容器の固定構造。
【請求項５】
容器本体が直方体形状に形成された薬剤容器と、該薬剤容器が載置される棚部を備えた下部構成部と、該下部構成部に着脱自在に取り付けられ前記棚部上の前記薬剤容器を覆うカバーとを備えた構成において、
前記カバーを横断面楕円形状であって上方へ向かうに従って縮径する山形状に形成し、当該カバーを前記下部構成部に取り付けた状態で、載置した前記薬剤容器の前記容器本体における対向した第１及び第２側面の上縁が前記カバーの内側面に当接するように構成するとともに、前記容器本体の前記第１及び第２側面と交差する第３及び第４側面に側方から当接する側面当接リブを設けたことを特徴とする薬剤容器の固定構造。
【請求項６】
前記容器本体の前記第３及び第４側面に、前記側面当接リブが配置される溝部を凹設したことを特徴とする請求項５記載の薬剤容器の固定構造。
【請求項７】
前記カバーの内側面に、当該カバーを前記下部構成部に取り付けた状態で前記棚部に載置された前記薬剤容器の前記容器本体に上方から当接する押さえリブを設けたことを特徴とする請求項５又は６記載の薬剤容器の固定構造。
【請求項８】
前記棚部の下部に、前記薬剤容器から気化した気化薬剤を前記容器本体の外部へ送出するファンと該ファンを回動するモータと該モータを駆動する電源とからなる送風手段を配置したことを特徴とする請求項５、６又は７記載の薬剤容器の固定構造。
【発明の詳細な説明】
【技術分野】
【０００１】
本発明は、例えば液状薬剤が収容された薬剤容器の固定構造に関する。
【背景技術】
【０００２】
従来、液状薬剤容器を収納した防虫器等が知られている。
【０００３】
これらは、内部の薬剤がなくなった場合、薬剤容器ごと取り替えるようになっている。
【発明の開示】
【発明が解決しようとする課題】
【０００４】
しかしながら、このような防虫器等にあっては、持ち運びの際や、不意に触れたとき等、薬剤容器が倒れると内部を汚したり、機能しなくなったりしてしまう。
【０００５】
このため、薬剤容器を確実に取り付ける必要があるが、取り付け構造が複雑になったり、薬剤の交換が面倒となる。
【０００６】
本発明は、このような従来の課題に鑑みてなされたものであり、簡単な構造で確実に薬剤容器を固定すると共に、薬剤容器の取り替えが容易に行える薬剤容器の固定構造を提供することを目的とするものである。
【課題を解決するための手段】
【０００７】
前記課題を解決するために本発明の請求項１の薬剤容器の固定構造にあっては、内部に液状薬剤を収容した薬剤容器と、該薬剤容器が載置される下部構成部と、該下部構成部に着脱自在に取り付けられ前記薬剤容器を覆うカバーとを備えた構成において、前記カバーを上方に向かうに従って縮径する山形状に形成し、当該カバーを前記下部構成部に取り付けた状態で、載置した前記薬剤容器の前記容器本体における少なくとも対向した側面の上端が前記カバーの内側面に当接する高さに当該側面の高さを設定した。
【０００８】
すなわち、薬剤容器を交換する際には、該薬剤容器を下部構成部に載置し、当該下部構成部にカバーを取り付けて前記薬剤容器をカバーで覆う。このとき、このカバーは、上方へ向かうに従って縮径する山形状に形成されており、当該カバーを取り付けた状態で、前記薬剤容器における少なくとも対向した側面の上端が前記カバーの内側面に当接する。これにより、前記薬剤容器は、上下方向への不用意な移動が阻止されるとともに、前記カバーに当接した方向への横ずれが防止される。
【０００９】
このように、前記下部構成部に前記カバーを取り付けるだけで、カバー内に収容された薬剤容器の不用意な移動を阻止することができる。
【００１０】
また、請求項２の薬剤容器の固定構造においては、前記カバーの内壁面に当接する前記容器本体の上端部分での平面視形状が、当該上端部分が当接する部位での前記カバーの断面形状と同一形状である。
【００１１】
これにより、薬剤容器の容器本体の上端がカバーの内壁面に線接触することで、当該薬剤容器のがたつきがさらに防止される。
【００１２】
さらに、請求項３の薬剤容器の固定構造では、前記カバーは横断面楕円形で、前記容器本体の対向する前記側面は、前記カバーが構成する楕円形の長軸と交差する内側面に対向する面である。
【００１３】
これにより、薬剤容器の不用意な回動が防止される。
【００１４】
加えて、請求項４の薬剤容器の固定構造においては、前記下部構成部材に、前記薬剤容器の側面に当接して当該薬剤容器の回転を防止するリブを設けた。
【００１５】
これにより、薬剤容器の不用意な回動が防止される。
【００１６】
また、請求項５の薬剤容器の固定構造にあっては、容器本体が直方体形状に形成された薬剤容器と、該薬剤容器が載置される棚部を備えた下部構成部と、該下部構成部に着脱自在に取り付けられ前記棚部上の前記薬剤容器を覆うカバーとを備えた構成において、前記カバーを横断面楕円形状であって上方へ向かうに従って縮径する山形状に形成し、当該カバーを前記下部構成部に取り付けた状態で、載置した前記薬剤容器の前記容器本体における対向した第１及び第２側面の上縁が前記カバーの内側面に当接するように構成するとともに、前記容器本体の前記第１及び第２側面と交差する第３及び第４側面に側方から当接する側面当接リブを設けた。
【００１７】
すなわち、薬剤容器を交換する際には、該薬剤容器を下部構成部に設けられた棚部に載置し、当該下部構成部にカバーを取り付けて前記棚部上の薬剤容器をカバーで覆う。このとき、このカバーは、上方へ向かうに従って縮径する山形状に形成されており、当該カバーを取り付けた状態で、前記薬剤容器の第１及び第２側面の上縁がカバーの内側面に当接する。これにより、前記薬剤容器は、上下方向への不用意な移動が阻止されるとともに、前記カバーに当接する前記第１及び第２側面方向への横ずれが防止される。
【００１８】
また、前記容器本体の第３及び第４側面には、側面当接リブが側方から当接する。このため、当該容器本体は、前記第３及び第４側面方向への横ずれとカバー内での回動が防止される。
【００１９】
このように、前記下部構成部に前記カバーを取り付けるだけで、カバー内に収容された薬剤容器の不用意な移動を阻止することができる。
【００２０】
さらに、請求項６の薬剤容器の固定構造においては、前記容器本体の前記第３及び第４側面に、前記側面当接リブが配置される溝部を凹設した。
【００２１】
これにより、側面当接リブと前記薬剤容器の容器本体との係合状態が高められる。
【００２２】
加えて、請求項７の薬剤容器の固定構造では、前記カバーの内側面に、当該カバーを前記下部構成部に取り付けた状態で前記棚部に載置された前記薬剤容器の前記容器本体に上方から当接する押さえリブを設けた。
【００２３】
これにより、薬剤容器の上動がより確実に防止される。
【００２４】
そして、請求項８の薬剤容器の固定構造においては、前記棚部の下部に、前記薬剤容器から気化した気化薬剤を前記容器本体の外部へ送出するファンと該ファンを回動するモータと該モータを駆動する電源とからなる送風手段を配置した。
【００２５】
これにより、薬剤がこぼれて下部に配置されたファンやモータや電源に接触しするといった不具合を確実に回避することができ、しかも薬剤容器の詰め替えが容易に行われる。
【発明の効果】
【００２６】
以上説明したように本発明の請求項１の薬剤容器の固定構造にあっては、カバー内に薬剤容器を収容する際に、下部構成部材に薬剤容器を載置してカバーを取り付けるだけで、カバー内に収容された薬剤容器を固定することができる。
【００２７】
したがって、持ち運びの際や、不意に触れたときでも、薬剤容器が倒れるといったことが防止され、内部を汚したり、機能しなくなったりしてしまうことがない。
【００２８】
そして、薬剤容器を収容する度に薬剤容器の固定作業を要する場合と比較して、カバーと取り付けるだけで、薬剤容器を収容固定することができる。また、薬剤容器を取り出す際には、固定解除作業を行うこと無く、カバーを外すだけで薬剤容器を容易に取り出すことができる。
【００２９】
よって、簡単な構造で確実に薬剤容器を固定すると共に、薬剤容器の取り替えを容易に行うことができる。
【００３０】
また、請求項２の薬剤容器の固定構造においては、薬剤容器の容器本体の上端をカバーの内壁面に線接触させることで、当該薬剤容器のがたつきをさらに防止することができる。
【００３１】
さらに、請求項３の薬剤容器の固定構造では、カバー内での薬剤容器の不用意な回動を防止することができる。
【００３２】
加えて、請求項４の薬剤容器の固定構造においても、カバー内の薬剤容器の不用意な回動を防止することができる。
【００３３】
また、請求項５の薬剤容器の固定構造にあっては、カバー内に薬剤容器を収容する際に、薬剤容器を棚部に載置して、カバーを下部構成部に取り付けるだけで、カバー内に収容された薬剤容器を固定することができる。
【００３４】
したがって、持ち運びの際や、不意に触れたときでも、薬剤容器が倒れるといったことが防止され、内部を汚したり、機能しなくなったりしてしまうことがない。
【００３５】
そして、薬剤容器を収容する度に薬剤容器の固定作業を要する場合と比較して、カバーと取り付けるだけで、薬剤容器を収容固定することができる。また、薬剤容器を取り出す際には、固定解除作業を行うこと無く、カバーを外すだけで薬剤容器を容易に取り出すことができる。
【００３６】
よって、簡単な構造で確実に薬剤容器を固定すると共に、薬剤容器の取り替えを容易に行うことができる。
【００３７】
さらに、請求項６の薬剤容器の固定構造においては、薬剤容器の容器本体に設けられた溝部と側面当接リブとの係合によって、薬剤容器の固定性をさらに高めることができる。
【００３８】
加えて、請求項７の薬剤容器の固定構造では、カバー内側面に設けられた押さえリブによって棚部上の薬剤容器の容器本体を上方から押さえることができる。これにより、薬剤容器の上動を確実に防止することができる。
【００３９】
そして、請求項８の薬剤容器の固定構造においては、薬剤がこぼれて下部に配置されたファンやモータや電源に接触しするといった不具合を確実に回避することができ、しかも薬剤容器の詰め替えを容易に行うことができる。
【発明を実施するための最良の形態】
【００４０】
（第１の実施の形態）
【００４１】
以下、本発明の第１の実施の形態を図に従って説明する。図１は、本実施の形態にかかる薬剤容器の固定構造を備えた芳香器１を示す図であり、該芳香器１は、トイレや居住空間で使用されるものである。
【００４２】
この芳香器１の芳香器本体１１は、図２にも示すように、下部を構成する下部構成部１２と、該下部構成部１２の上部に着脱自在に取り付けられるカバー１３とによって構成されている。該カバー１３内には、ガラス瓶からなる薬剤容器１４が交換可能に設けられており、該薬剤容器１４に収容された液状薬剤を揮散できるように構成されている。
【００４３】
前記下部構成部材１２は、図３に示すように、底部を構成する容器部２１と、該容器部２１の上部開口部を閉鎖して上下を隔てる隔成部２２と、該隔成部２２上に配置される送出手段としてのファン２３と、前記隔成部２２の上部に間隔を置いて配置されるリング状のリングフィン２４と、該リングフィン２４の上部に間隔を置いて配置される薬剤載置部２５とによって構成されている。
【００４４】
前記容器部２１は、図４に示すように、楕円形の底面３１と、該底面３１の周縁に起立した周壁３２とによって容器状に形成されている。前記底面３１には、上方に膨出した裏面開口状の電池収容部３３が形成されており、当該電池収容部３３に底面側から電池を交換可能に収容できるように構成されている。前記電池収容部３３には、支柱３４，・・・が四カ所に立設されており、各支柱３４，・・・の端部には、前記電池収容部３３側に連通する連通穴３５，・・・が設けられている。また、前記周壁３２には、発光ダイオードが挿入されるライト穴３６が設けられており、その逆側には、スイッチ３７ａが挿入されるスイッチ穴３７が設けられている。
【００４５】
この容器部２１上に配置される前記隔成部２２の周囲部には、図５に示すように、内側から外縁へ向かうに従って上方に傾斜した下部傾斜面４１が形成されており、その内側には、円筒部４２が四カ所に設けられている。各円筒部４２，・・・の中央部には、円形穴４３，・・・が開設されており、各円形穴４３，・・・は、前記容器部２１に設けられた前記支柱３４，・・・の連通穴３５，・・・と合致する位置に設けられている。
【００４６】
この隔成部２２の裏面には、プリント基板５１が固定されており、該プリント基板５１に構成された電子回路は、前記電池収容部３３内の電池から電源供給を受けて作動するように構成されている。前記プリント基板５１には、前記電子回路によって回動制御されるモータ５２が設けられており、該モータ５２は、前記隔成部２２の中央に膨出形成されたモータ取付部５３内に収容された状態で固定されている。このモータ５２の回転軸５４は、前記隔成部２２を挿通して上方に突出しており、この回転軸５４には、前記ファン２３が固定されている。
【００４７】
該ファン２３は、図３に示したように、前記回転軸５４に取り付けられるボス部６１と、該ボス部６１より側方に延出する延出片６２，・・・と、各延出片６２，・・・に支持され前記モータ取付部５３を包囲するように配置される円筒部６３とによって構成されている。該円筒部６３には、複数のスリット６４，・・・が設けられており、各スリット６４，・・・の縁部からは、内側へ向けて斜めに延出する整流フィン６５，・・・が設けられている。これにより、当該ファン２３が回動された際には、前記各延出片６２，・・・間の開口部分６６，・・・から導入した空気を、前記各スリット６４，・・・から外周部へ排出できるように構成されている。
【００４８】
前記隔成部２２上に配置される前記リングフィン２４は、図６に示すように、楕円リング状に形成されており、その内側には、平坦な平坦部７１が設けられている。この平坦部７１は、前記隔成部２２の前記円筒部４２，・・・に支持されるように構成されており、当該リングフィン２４と前記隔成部２２との間には、前記円筒部４２，・・・の高さ分の間隙が確保されている。前記円筒部４２による支持位置の中央には、上下に貫通する貫通穴７２，・・・が設けられており、当該平坦部７１の外周部には、内側から外周縁へ向かうに従って上方に傾斜した中傾斜面７３が形成されている。
【００４９】
このリングフィン２４上に配置される前記薬剤載置部２５の中央部には、図７に示すように、四カ所の支持部８１，・・・で支持された円形の棚部８２が設けられており、前記各支持部８１，・・・間には、上下を連通する通流部８３，・・・が設けられている。前記棚部８２の縁部には、上方に延出する長方形板状の側面当接リブ８４，８４が対向して設けられており、各側面当接リブ８４，８４の裏面には、補強条８５，８５が一体形成されている。これら各側面当接リブ８４，８４によって前記棚部８２に載置された前記薬剤容器１４を位置決めできるように構成されている。
【００５０】
前記棚部８２の外周部には、内側から外周縁へ向かうに従って上方に傾斜した上部傾斜面９１が形成されており、該上部傾斜面９１の上面には、上方に延出する係止片９２，９２が相対向する部位に立設されている。各係止片９２，９２の上端には、前記カバー１３の内側面と係合する係合爪９３，９３が突設されており、該係合爪９３，９３の下部には、押圧操作用の凸部９４，９４が形成されている。
【００５１】
また、前記薬剤載置部２５の下面には、下方へ向けて延出する脚部１０１，・・・が前記上部傾斜面９１の内側の４カ所に設けられており、各脚部１０１，・・・の基端部には、大径の大径部１０２が形成され、中途部に段部１０３が形成されている（一カ所のみ図示）。また、各脚部１０１，・・・の端部には、小孔が設けられている（図示省略）。
【００５２】
これにより、芳香器本体１１組み立て時には、前記薬剤載置部２５の前記各脚部１０１，・・・を前記リングフィン２４の前記貫通穴７２，・・・へ挿通した際に、前記段部１０３が前記リングフィン２４の上面に当接することによって、当該リングフィン２４と前記薬剤載置部２５との間に所定の間隙を確保できるように構成されている。そして、前記貫通穴７２，・・・を挿通した各脚部１０１，・・・を前記隔成部２２の円筒部４２，・・・に内嵌し、当該隔成部２２を前記容器部２１に取り付けるとともに、この状態で、前記容器部２１の前記電池収容部３３側から当該容器部２１に設けられた前記支柱３４，・・・の連通穴３５，・・・にタッピンネジを挿入するとともに、該タッピンネジを前記脚部１０１，１０１の小孔に螺入することによって、前記薬剤載置部２５と前記リングフィン２４と前記隔成部２２とを前記容器部２１に固定できるように構成されている。
【００５３】
前記カバー１３は、図２に示したように、有色の樹脂によって形成されており、当該カバー１３は、横断面が楕円形状であって上方へ向かうに従って縮径する山形状に形成されている。このカバー１３の上端部には、水平方向に延在するスリット１１１，・・・が設けられており、下部には、内部に連通する楕円形の窓部１１２が開設されている。
【００５４】
また、前記係止片９２に対応する部位には、前記凸部９４を露出させる為の切欠部１１３が設けられており、前記凸部９４の押圧操作を可能としている。この切欠部１１３，１１１３上部の内側面には、前記薬剤載置部２５に設けられた前記係止片９２，９２の係合爪９３，９３と係合する係合溝が形成されており（図示省略）、前記係合片９２，９２の前記係合爪９３，９３と前記カバー１３の係合溝とが係合することによって、当該カバーを前記下部構成部１２に取り付けた状態で固定できるように構成されている。
【００５５】
また、前記薬剤容器１４は、図８に示すように、透明のガラス瓶によって形成されており、矩形容器状の容器本体１２１と、円筒状の口部１２２とによって一体形成されている。該口部１２２には、図外のキャップを螺着する為の雄ねじ１２３が形成されており、キャップ装着時に口部１２２の開口部を閉鎖できるように構成されている。
【００５６】
前記容器本体１２１の底面１２４は、長方形状に形成されており、対向する短辺からは第１側面１２５及び第２側面１２６が起立している。また、前記底面１２４の対向する長辺からは、第３側面１２７及び第４側面１２８が起立しており、前記第１及び第２側面１２５，１２６は、図９にも示すように、前記カバー１３の内側面に沿って延在する湾曲面で構成されている。
【００５７】
前記第３及び第４側面１２７，１２８には、図８に示したように、上下に延在する縦長の溝部１２９，１２９が形成されており、取付時において、図２及び図９に示したように、前記薬剤載置部２５に設けられた前記側面当接リブ８４，８４が前記各溝部１２９，１２９内に挿入された状態で、当該薬剤容器１４が位置決めされるように構成されている。前記口部１２２には、芯材が収容されており（図示省略）、該芯材が容器本体１２１内の液状薬剤を吸い上げることによって、芯材の露出部より前記液状薬剤を揮散できるように構成されている。
【００５８】
これにより、図１０に示すように、前記下部構成部材１２に前記薬剤容器１４をセットするとともに前記カバー１３を取り付けて芳香器本体１１を形成した状態で、該芳香器本体１１のカバー１３内には、揮散した液状薬剤が貯留される貯留空間１３１が形成されており、スイッチ操作に従って前記モータ５２を作動して前記ファン２３を回動することにより、前記カバー１３上端部のスリット１１１，・・・から前記貯留空間１３１内に空気を導入するとともに、該貯留空間１３１に貯留した空気を、前記薬剤載置部２５の上部傾斜面９１下面が構成する上壁面１３２と前記隔成部２２の前記下部傾斜面４１上面が構成する下壁面１３３との間にて当該芳香器本体１１の全周に渡って形成された排出口１３４から外部へ放出できるように構成されている。
【００５９】
そして、前記薬剤容器１４をセットして前記カバー１３を前記下部構成部材１２に取り付けた状態において、図１１に示すように、前記薬剤載置部２５の棚部８２に載置された前記薬剤容器１４の前記容器本体１２１における対向した第１及び第２側面１２５，１２６の上縁１２５ａ，１２６ａが前記カバー１３の内側面に線接触するように、前記棚部８２の高さが設定されている。
【００６０】
以上の構成にかかる本実施の形態において、薬剤容器１４を交換する際には、該薬剤容器１４を下部構成部１２を構成する薬剤載置部２５の棚部８２に載置し、当該下部構成部１２にカバー１３を取り付けて前記棚部８２上の薬剤容器１４をカバー１３で覆う。
【００６１】
このとき、このカバー１３は、上方へ向かうに従って縮径する山形状に形成されており、当該カバー１３を取り付けた状態で、前記薬剤容器１４の容器本体１２１の第１及び第２側面１２５，１２６の上縁１２５ａ，１２６ａがカバー１３の内側面に当接する。これにより、前記薬剤容器１４は、上下方向への不用意な移動が阻止されるとともに、前記カバー１３に当接した前記第１及び第２側面１２５，１２６方向への横ずれが防止される。
【００６２】
また、前記容器本体１２１の第３及び第４側面１２７，１２８には、側面当接リブ８４，８４が側方から当接する。このため、当該容器本体１２１は、前記第３及び第４側面１２７，１２８方向への横ずれ及びカバー１３内での回動が防止される。
【００６３】
このように、カバー１３内に薬剤容器１４を収容する際に、該薬剤容器１４を棚部８２に載置して、カバー１３を下部構成部１２に取り付けるだけで、カバー１３内に収容された前記薬剤容器１４を固定することができる。
【００６４】
このため、薬剤容器を収容する度に薬剤容器の口部を装着部に螺入して固定しなければならなかった従来と比較して、螺入作業を行うこと無く、薬剤容器１４を収容固定することができる。また、薬剤容器１４を取り出す際には、固定解除作業を行うこと無く、カバー１３を取り外すだけで、前記薬剤容器１４を簡単に取り出すことができる。
【００６５】
したがって、薬剤容器１４の交換を容易に行うことができる。
【００６６】
また、前記薬剤容器１４の容器本体１２１には、溝部１２９，１２９が設けられており、この溝部１２９，１２９に前記側面当接リブ８４，８４を挿入して係合することによって、薬剤容器１４の不用意な横ずれや回転を防止し、固定性をさらに高めることができる。
【００６７】
（第２の実施の形態）
【００６８】
一方、図１２は、第２の実施の形態を示す図であり、第１の実施の形態と異なる部分に付いてのみ説明する。
【００６９】
すなわち、図１２は、第１の実施の形態の図１１に相当する模式図であり、カバー１３の内側面には、下方に延出する板状の押さえリブ１４１，１４１が相対向する箇所に設けられている。各押さえリブ１４１，１４１は、当該カバー１３を下部構成部１２に取り付けた状態で、該下部構成部１２を構成する薬剤載置部２５の棚部８２に載置された薬剤容器１４の容器本体１２１に上方から当接する長さに設定されている。
【００７０】
これにより、前記カバー１３の内側面に設けられた押さえリブ１４１，１４１によって前記棚部８２上の薬剤容器２５の容器本体１２１を上方から押さえることができる。よって、前記薬剤容器１４の上動を確実に防止することができる。
【００７１】
なお、前記各実施の形態にあっては、容器本体１２１の短辺を構成する第１側面１２５及び第２側面１２６の上縁をカバー１３の内側面に線接触させる場合を例に挙げて説明したが、これに限定されるものでは無い。
【００７２】
（第３の実施の形態）
【００７３】
すなわち、図１３に示すように、容器本体１２１の長辺を構成する第３側面１２７及び第４側面１２８の上縁をカバー１３の内側面に線接触させても良い。
【００７４】
この場合、カバー１３への線接触部分を長くとることがでるため、当該薬剤容器１４の固定性をさらに高めることができる。
【００７５】
（第４の実施の形態）
【００７６】
また、図１４の（ａ）に示すように、薬剤容器１４の容器本体１２１の長辺を構成する第３側面１２７及び第４側面１２８の上縁を、カバー１３が構成する楕円形状の長軸１５１と交差する内側面に線接触させても良い。
【００７７】
これにより、側面当接リブ８４，８４を備えた前述の実施の形態のようにリブ構造を設けること無く、薬剤容器１４の回動及び横ずれを防止することができる。
【００７８】
（第５の実施の形態）
【００７９】
また、薬剤容器１４の容器本体１２１は、矩形状に限定されるものでは無く、図１４の（ｂ）に示すように、容器本体１２１の外周面がカバー１３の内側面に密着する楕円形状としても良い。
【００８０】
これにより、側面当接リブ８４，８４を備えた前述の実施の形態のようにリブ構造を設けること無く、薬剤容器１４の回動及び横ずれを防止することができる。
【００８１】
なお、各実施の形態において吸気口１１１付近にフィルタを設け、清浄した空気に薬効を付与させて周囲に排出させるようにすることもできる。
【図面の簡単な説明】
【００８２】
【図１】本発明の第１の実施の形態を示す図である。
【図２】同実施の形態のカバーを外した状態を示す斜視図である。
【図３】同実施の形態の下部構成部材を示す分解斜視図である。
【図４】同実施の形態の容器部を示す拡大図である。
【図５】同実施の形態の隔成部を示す拡大図である。
【図６】同実施の形態のリングフィンを示す拡大図である。
【図７】同実施の形態の薬剤載置部を示す拡大図である。
【図８】同実施の形態の薬剤容器を示す拡大図である。
【図９】同実施の形態の薬剤載置部に薬剤容器を載置した状態を示す平面図である。
【図１０】同実施の形態の内部の様子を示す説明図である。
【図１１】図１０のＡ−Ａ線に沿った断面に相当する模式図。
【図１２】本発明の第２の実施の形態を示す模式図である。
【図１３】本発明の第３の実施の形態を示す模式平面図である。
【図１４】（ａ）は本発明の第４の実施の形態を示す模式平面図であり、（ｂ）は本発明の第５の実施の形態を示す模式平面図である。
【符号の説明】
【００８３】
１    芳香器
１２    下部構成部材
１３    カバー
１４    薬剤容器
８２    棚部
８４    側面当接リブ
１２１    容器本体
１２５    第１側面
１２６    第２側面
１２７    第３側面
１２８    第４側面
１２９    溝部
１４１    押さえリブ
【図１】
2006158468.tif 000003
【図２】
2006158468.tif 000004
【図３】
2006158468.tif 000005
【図４】
2006158468.tif 000006
【図５】
2006158468.tif 000007
【図６】
2006158468.tif 000008
【図７】
2006158468.tif 000009
【図８】
2006158468.tif 000010
【図９】
2006158468.tif 000011
【図１０】
2006158468.tif 000012
【図１１】
2006158468.tif 000013
【図１２】
2006158468.tif 000014
【図１３】
2006158468.tif 000015
【図１４】
2006158468.tif 000016